(57)【要約】【課題】原稿を読み取り面に対して均等に押圧し、原稿の全面にわたって鮮明に読取を行うことを可能とする原稿押さえ装置及び画像読み取り装置を提供すること。【解決手段】多機能装置１は、原稿４をイメージセンサ７１の原稿読取面７１ａに向けて押圧するための原稿押さえ装置７９を備えている。原稿押さえ装置７９では、原稿４を押圧する原稿押さえ部材８０を回動軸７８により回動可能に軸支し、コイルスプリング８２により原稿読取面７１ａの方向に付勢している。原稿押さえ部材８０において回動軸７８を受ける軸受け孔８０ｄは、原稿に対して垂直な方向の内径が回動軸７８よりも大きく形成されており、コイルスプリング８２の付勢力により、軸受け孔８０ｄの内周における上端に回動軸７８が当接している。【選択図】  図２
2005026844.tif 000002
【特許請求の範囲】
【請求項１】
所定方向に搬送される原稿に対して略平行に固定配置される回動軸と、
前記回動軸により回動可能に軸支される原稿押さえ部材と、
前記原稿押さえ部材に対し、原稿を押圧する方向に回動するように付勢する付勢手段と、を備える原稿押さえ装置であって、
前記原稿押さえ部材は、前記回動軸を受けるために、前記原稿に対して垂直な方向における内径が前記回動軸の直径よりも大きい左右一対の軸受け孔を有するとともに、
前記付勢手段は、前記回動軸が前記軸受け孔の内周における原稿とは反対側の端部に当接するように前記原稿押さえ部材を付勢することで前記所定方向における原稿と原稿押さえ部材との成す鋭角が所定の角度の範囲内に保持されることを特徴とする原稿押さえ装置。
【請求項２】
所定方向に搬送される原稿の原稿に対して略平行に固定配置される回動軸と、
該回動軸を受ける左右一対の軸受け孔を有し、この軸受け孔により前記回動軸に回動可能に軸支される原稿押さえ部材と、
前記原稿押さえ部材に対し、原稿を押圧する方向に回動するように付勢する付勢手段と、を備える原稿押さえ装置であって、
前記原稿押さえ部材が前記軸受け孔近傍にて切り欠き部を有することを特徴とする原稿押さえ装置。
【請求項３】
前記切り欠き部は、前記回動軸の中心線方向と平行な方向に設けられていることを特徴とする請求項２に記載の原稿押さえ装置。
【請求項４】
前記切り欠き部は、前記回動軸の中心線方向と直交する方向に設けられていることを特徴とする請求項２に記載の原稿押さえ装置。
【請求項５】
前記原稿押さえ部材は、前記回動軸を受けるために、前記原稿に対して垂直な方向における内径が前記回動軸の直径よりも大きい一対の軸受け孔を有するとともに、
前記付勢手段は、前記回動軸が、前記軸受け孔における原稿とは反対側の端部に当接するように、前記原稿押さえ部材を付勢することで前記所定方向における原稿と原稿押さえ部材との成す鋭角が所定の角度以上に保持されることを特徴とする請求項２〜４のいずれかに記載の原稿押さえ装置。
【請求項６】
前記原稿押さえ部材が金属板からなることを特徴とする請求項１〜５のいずれかに記載の原稿押さえ装置。
【請求項７】
原稿を所定方向に搬送する原稿搬送手段と、
前記原稿搬送手段によって搬送される原稿の被読取面を読み取る読取手段と、を備える画像読取装置であって、
原稿の被読取面をを前記読取手段に押圧するために、請求項１〜６のいずれかに記載の原稿押さえ装置を備えることを特徴とする画像読取装置。
【請求項８】
前記読取手段が原稿を読み取る位置である読取位置において、前記読取手段の原稿読取面と前記原稿押さえ部材との垂直方向での距離が、前記読取手段の焦点深度よりも小さいことを特徴とする請求項７記載の画像読取装置。
【請求項９】
前記読取手段が密着型イメージセンサであることを特徴とする請求項７または８に記載の画像読取装置。
【発明の詳細な説明】
【０００１】
【発明の属する技術分野】
本発明は、ファクシミリ装置、複写機、文字認識装置等における原稿押さえ装置及び画像読み取り装置に関する。
【０００２】
【従来の技術】
従来より、複写機やファクシミリ装置等における原稿読み取り装置として、密着型イメージセンサ（ＣＩＳ）やライン型のＣＣＤスキャナを備えたものが知られている。この原稿読み取り装置によれば、読み取るべき原稿を搬送するフイードローラ対と排紙ローラ対との間に前記原稿の搬送方向に対して直交する方向にＣＩＳやＣＣＤスキャナが配置され、搬送される原稿の表面が光照射され、その反射光がＣＩＳやＣＣＤスキャナにて読み取られるようになっている。
【０００３】
この場合、ＣＩＳやＣＣＤスキャナの光学系の焦点から原稿の表面までの距離を一定にして読取られるべき画像を鮮明にするために、読み取り部に対して原稿を押圧する原稿押さえ部材を配置していた。
【０００４】
この原稿押さえ部材は、機器の本体に対して回動可能に配置され、スプリング部材により読取面に当接する方向に付勢されるものである（特許文献１参照）。
【０００５】
【特許文献１】特開平１１−３４１２２０号公報
【０００６】
【発明が解決しようとする課題】
しかしながら、原稿押さえ部材の加工精度や取り付け精度に起因して、原稿押さえ部材が読取面に対して均一に当接しないことがあった。この場合、原稿押さえ部材が読み取り面に当接しない部分では、原稿と読取面との間に隙間が生じてしまい、原稿を鮮明に読みとれないという問題があった。
【０００７】
特に、コスト削減のため、原稿押さえ部材における機器本体との取り付け部から読取面に当接する部分までの距離を短くすると、原稿押さえ部材が弾性変形し難くなるので、一層原稿押さえ部材と読み取り面との隙間が生じやすくなるという問題があった。
【０００８】
本発明は以上の点に鑑みなされたものであり、例え機器本体との取り付け部から読取面に当接する部分までの距離を短くしたとしても、原稿を読み取り面に対して均等に押圧し、原稿の全面にわたって鮮明に読取を行うことを可能とする原稿押さえ装置及び画像読み取り装置を提供することを目的とする。
【０００９】
【課題を解決するための手段及び発明の効果】
（１）請求項１の発明は、
所定方向に搬送される原稿に対して略平行に固定配置される回動軸と、前記回動軸により回動可能に軸支される原稿押さえ部材と、前記原稿押さえ部材に対し、原稿を押圧する方向に回動するように付勢する付勢手段と、を備える原稿押さえ装置であって、前記原稿押さえ部材は、前記回動軸を受けるために、前記原稿に対して垂直な方向における内径が前記回動軸の直径よりも大きい左右一対の軸受け孔を有するとともに、前記付勢手段は、前記回動軸が前記軸受け孔の内周における原稿とは反対側の端部に当接するように前記原稿押さえ部材を付勢することで前記所定方向における原稿と原稿押さえ部材との成す鋭角が所定の角度の範囲内に保持されることを特徴とする原稿押さえ装置を要旨とする。
【００１０】
本発明の原稿押さえ装置では、原稿押さえ部材に設けられた左右一対の軸受け孔が原稿に対し垂直な方向に長く、それぞれの軸受け孔の内周において、原稿とは反対側の端部に回動軸が押し当てられている。
【００１１】
そのため、原稿押さえ部材は、回動軸が軸受け孔の中で、原稿に近い側となる方向に（すなわち原稿とは反対方向に）動く余地を有している。そして、一方の軸受け孔においては回動軸が原稿と反対側に当接したままで、他方の軸受け孔においては、回動軸が原稿の側に移動するように原稿押さえ部材を動かすと、原稿の幅方向（搬送方向と直交する方向）における原稿と原稿押さえ部材との角度を変更することができる。
【００１２】
そのことにより、そのままでは原稿押さえ部材が原稿に対して均等に当接しない場合でも、上記のようにして原稿に対する原稿押さえ部材の角度を変え、原稿押さえ部材を原稿に対して均等に押し当てることができる。
【００１３】
また、本発明では、原稿に対して垂直な方向に長い軸受け孔の内周において、原稿とは反対側の端部に回動軸は押し当てられているので、原稿押さえ部材は、原稿に近づく方向に動くことはない。そのため、原稿の搬送方向（所定の方向）における原稿押さえ部材と原稿との成す鋭角は、所定の角度の範囲内（例えば２．５°〜５°）に保持される。その結果として、原稿を読み取る位置である読取位置（図６参照）において、原稿と原稿押さえ部材との間には常に隙間が保たれるため、読取位置にゴミ等が溜まってしまうことがない。
【００１４】
また、原稿押さえ部材と原稿との成す鋭角は、所定の角度の範囲内に保持されることにより、読取位置における原稿押さえ部材と原稿との距離は、所定の値（例えば、原稿を読み取る読取装置の焦点深度）より大きくなることはないので、原稿を鮮明に読み取ることができる。
（２）請求項２の発明は、
所定方向に搬送される原稿の原稿に対して略平行に固定配置される回動軸と、該回動軸を受ける左右一対の軸受け孔を有し、この軸受け孔により前記回動軸に回動可能に軸支される原稿押さえ部材と、前記原稿押さえ部材に対し、原稿を押圧する方向に回動するように付勢する付勢手段と、を備える原稿押さえ装置であって、前記原稿押さえ部材が前記軸受け孔近傍にて切り欠き部を有することを特徴とする原稿押さえ装置を要旨とする。
【００１５】
本発明の原稿押さえ装置では、原稿押さえ部材が軸受け孔近傍に切り欠き部を有しているので、その切り欠き部の周囲では、原稿押さえ板の剛性を低下させることができる。
【００１６】
そのため、そのままでは原稿押さえ部材が原稿に対し均等に当接しない場合でも、原稿押さえ部材を切り欠き部の周囲において変形させ、原稿に均等に当接させることができる。
（３）請求項３の発明は、
前記切り欠き部は、前記回動軸の中心線方向と平行な方向に設けられていることを特徴とする請求項２に記載の原稿押さえ装置を要旨とする。
【００１７】
本発明では、原稿押さえ部材に、回動軸の中心線方向と平行な方向に切り欠き部が設けられているので、原稿押さえ部材には、回動軸の中心線方向と平行な方向において、細くなっている部分が生じる。そのため、原稿押さえ部は、その細くなっている部分を中心として、捻れることができる。
【００１８】
従って、本発明では、そのままでは原稿押さえ部材が原稿に対し均等に当接できない場合でも、原稿押さえ部が捻れることにより、原稿に対して均等に当接することができる。
（４）請求項４の発明は、
前記切り欠き部は、前記回動軸の中心線方向と直交する方向に設けられていることを特徴とする請求項２に記載の原稿押さえ装置を要旨とする。
【００１９】
本発明では、原稿押さえ部材に、回動軸の中心線方向と直交する方向に設けられている切り欠き部があるので、原稿押さえ部材には、回動軸の中心線方向と直交する方向において細くなっている部分が生じる。
【００２０】
そのため、原稿押さえ部材は、その細くなっている部分において弾性変形することができる。
従って、そのままでは原稿押さえ部材が原稿に対し均等に当接できない場合でも、原稿押さえ部がその細くなっている部分において弾性変形することにより、原稿に対して均等に当接することができる。
（５）請求項５の発明は、
前記原稿押さえ部材は、前記回動軸を受けるために、前記原稿に対して垂直な方向における内径が前記回動軸の直径よりも大きい一対の軸受け孔を有するとともに、前記付勢手段は、前記回動軸が、前記軸受け孔における原稿とは反対側の端部に当接するように、前記原稿押さえ部材を付勢することで前記所定方向における原稿と原稿押さえ部材との成す鋭角が所定の角度以上に保持されることを特徴とする請求項２〜４のいずれかに記載の原稿押さえ装置を要旨とする。
【００２１】
本発明は、請求項２〜４の発明の効果に加えて、請求項１の発明と同様の効果を奏することができる。
（６）請求項６の発明は、
前記原稿押さえ部材が金属板からなることを特徴とする請求項１〜５のいずれかに記載の原稿押さえ装置を要旨とする。
【００２２】
本発明では、原稿押さえ部材が金属板から成るので、適度な剛性を持つ原稿押さえ部材を安価に構成することができる。そのため、原稿抑え部材を原稿に均等に当接させることができれば、原稿抑え部材は原稿を均等に押圧することができる。
（７）請求項７の発明は、
原稿を所定方向に搬送する原稿搬送手段と、前記原稿搬送手段によって搬送される原稿の被読取面を読み取る読取手段と、を備える画像読取装置であって、原稿の被読取面をを前記読取手段に押圧するために、請求項１〜６のいずれかに記載の原稿押さえ装置を備えることを特徴とする画像読取装置を要旨とする。
【００２３】
本発明は、請求項１〜６のいずれかに記載の原稿押さえ装置を備えており、その原稿押さえ装置の原稿押さえ部材は、原稿に対して均等に当接する。そのため、本発明では、原稿の被読取面を読取手段に対して均等に押し付けることができ、原稿の幅方向（搬送方向と直交する方向）で、読取手段と原稿の被読取面との間に隙間が生じることがない。そのことにより、本発明の画像読取装置は、原稿を高精度に読み取ることができる。
（８）請求項８の発明は、
前記読取手段が原稿を読み取る位置である読取位置において、前記読取手段の原稿読取面と前記原稿押さえ部材との垂直方向での距離が、前記読取手段の焦点深度よりも小さいことを特徴とする請求項７記載の画像読取装置を要旨とする。
【００２４】
本発明では、読取位置において、読取手段の原稿読取面と原稿押さえ部材との垂直方向での距離が読取手段の焦点深度よりも小さいので、読取手段と原稿押さえ部材との間に位置する原稿の被読取面と読取手段の原稿読取面との距離は、読取手段の焦点深度より大きくなることはない。そのため、原稿を鮮明に読み取ることができる。
【００２５】
尚、読取位置における、読取手段の原稿読取面と原稿押さえ部材との垂直方向の距離は、原稿押さえ部材と読取手段の原稿読取面との成す鋭角を小さくすることにより実現できる。
【００２６】
また、読取手段の原稿読取面と原稿押さえ部材との垂直方向での距離は、原稿を一層鮮明に読み取るために、読取手段の焦点深度の半分以下が望ましい。
（９）請求項９の発明は、
前記読取手段が密着型イメージセンサであることを特徴とする請求項７または８に記載の画像読取装置を要旨とする。
【００２７】
本発明では、原稿の読取面を密着型イメージセンサに対して均等に押し付けることができるので、原稿の幅方向において原稿と密着型イメージセンサとの間に隙間が生じることがなく、原稿を高精度に読み取ることができる。
【００２８】
【発明の実施の形態】
以下に本発明の原稿押さえ装置及び画像読取装置の例（実施例）を説明する。本実施形態は、プリンタ機能とコピー機能とスキャナー機能と、ファクシミリ機能と電話機能等を備えた多機能装置に本発明を適用した場合の一例である。
（実施例１）
図１は本発明に係る多機能装置１の概略構成図である。図１に示すように、この多機能装置１の本体ケース２内には、画像形成のための用紙を給紙するフィーダユニット１０と、レーザスキャナユニット２５や感光ドラム２１を有するレーザプリンタ２０と、画像読取装置７０と、感光ドラム２１や各種のローラを含む駆動系を駆動する駆動機構（図示せず）と、多機能装置１を制御する制御ユニット（図示せず）とが設けられている。
【００２９】
前記フィーダユニット１０は、図１に示すように、本体ケース２の後端部の上部のフィーダ部ケース２ａ内に用紙押圧板１１が配設され、その用紙押圧板１１の前端部は圧縮バネ１２により上側に弾性付勢され、用紙３を給紙する給紙ローラ１３が回転自在に枢支されている。この給紙ローラ１３は、図示しない駆動機構により、所定の給紙タイミングで回転駆動されるようになっている。
【００３０】
そして、そのフィーダ部ケース２ａ内に、定形カット紙からなる用紙３を複数枚収容可能な給紙カセット１４が傾斜状態で着脱自在に装着され、給紙ローラ１３の回転により、給紙カセット１４に収容された用紙３が１枚ずつ給紙される。給紙ローラ１３よりも用紙搬送方向（図１において、後方から前方向き）下流側には、給紙された用紙３の先端を揃える１対のレジストローラ１５が回転可能に夫々枢支されている。
【００３１】
次に、レーザプリンタ２０は、円筒形状の感光ドラム２１と、その感光ドラム２１上に静電潜像を形成するレーザスキャナユニット２５と、トナーボックス３５と、現像ローラ４３を有する現像ユニット４０と、感光ドラム２１上のトナー画像を用紙３に転写する転写ローラ４５と、定着ユニット５０と、これら感光ドラム２１や現像ローラ４３などを駆動する駆動機構（図示せず）を備えている。
【００３２】
感光ドラム２１は、アルミ製の円筒スリーブの外周部に、ポリカーボネートに光導電性樹脂を分散させた所定厚さ（例えば、約２０μｍ）の光導電層を形成した中空状のものであり、本体ケース２に回転自在に枢支されている。即ち、感光ドラム２１上に形成されたプラス極性の静電潜像に対して、プラス極性に帯電したトナー３７を反転現像方式で現像するように構成されている。
【００３３】
レーザスキャナユニット２５は、感光ドラム２１の下側に配設され、感光ドラム２１上に静電潜像を形成するためのレーザ光Ｌを発生する半導体レーザ発光器２６、回転駆動されるポリゴンミラー２７（５面体ミラー）、１対のレンズ２８，２９、１対の反射ミラー３０，３１などから構成され、半導体レーザ発光器２６から出射したレーザ光Ｌを主走査することでで感光ドラム２１上に静電潜像を形成することができる。
【００３４】
一方、感光ドラム２１上のレーザ光Ｌが照射される位置よりも、回転方向進角側の位置には、タングステンなどからなる帯電用ワイヤからコロナ放電を発生させるスコロトロン型の帯電器３２が設けられ、その帯電器３２よりも更に回転方向進角側の位置には、除電ランプ３３が設けられている。
【００３５】
次に、トナーボックス３５と、感光ドラム２１の直ぐ後側に配設された現像ユニット４０について説明する。
現像部ケース２ｂには、回転駆動されるアジテータ３６と、電気絶縁性を有する絶縁性のトナー３７とを収容した２重円筒状のトナーボックス３５が着脱可能に装着され、そのトナーボックス３５の前側には、トナーボックス３５に形成されたトナー供給口を介してアジテータ３６の回転により供給されたトナー３７を収容するトナー貯蔵室４１が形成され、そのトナー貯蔵室４１には、供給ローラ４２が回転可能に枢支され、更にそのトナー貯蔵室４１の前側を仕切るように且つ供給ローラ４２と感光ドラム２１とに夫々接するように、現像ローラ４３が回転可能に枢支されている。ここで、前記トナー３７は、その粒径を７〜１０μｍとする合成樹脂製であり、また、供給ローラ４２と現像ローラ４３とは、導電性を有するゴム製である。
【００３６】
一方、現像部ケース２ｂには、ステンレス製またはリン青銅製の薄い板状の弾性を有する層厚規制ブレード４４が下向きに取り付けられ、その下端部に形成された屈曲部が現像ローラ４３に押圧状に接触しており、供給ローラ４２から供給されて現像ローラ４３の表面に層状に付着したトナー３７の層厚が、この層厚規制ブレード４４で規制される。
【００３７】
ところで、現像ユニット４０の直ぐ下側には、冷却用ファン５が設けられ、この冷却用ファン５の駆動により特にトナーボックス３５を冷却することにより、トナー３７の温度上昇による凝固を防止して、画像品質の低下を防ぐようになっている。また、トナーボックス３５の直ぐ下側に、トナーボックス３５に近接状にサーミスタからなるトナー温度検出センサ６が設けられ、このトナー温度検出センサ６によりトナー３７の温度を反映する温度を検出するようになっている。
【００３８】
そして、感光ドラム２１、供給ローラ４２、現像ローラ４３などが駆動機構により夫々所定回転方向に駆動されるので、トナー３７の各トナー粒子は、供給ローラ４２と現像ローラ４３との擦り付けにより、また層厚規制ブレード４４の現像ローラ４３への押圧摩擦によりプラス極性に帯電され、このプラス極性に帯電したトナー３７が、レーザ光Ｌにより感光ドラム２１上に形成された静電潜像に付着して、反転現像方式で現像される。
【００３９】
次に、導電性を有するゴム製の転写ローラ４５は、感光ドラム２１の上側に接するように設けられて回転自在に枢支され、感光ドラム２１上のトナー画像がこの転写ローラ４５により、用紙３に確実に転写されるようになっている。
【００４０】
定着ユニット５０は、感光ドラム２１よりも原稿搬送方向下流側に設けられ、ハロゲンランプなどの定着ヒータ５１を内蔵した加熱用ローラ５２と押圧ローラ５３とからなり、用紙３の下面に転写されたトナー画像が押圧と同時に加熱されて用紙３に定着される。ここで、加熱用ローラ５２に近接状にサーミスタからなるヒータ温度検出センサ７が設けられ、このヒータ温度検出センサ７により加熱用ローラ５２の表面温度を検出するようになっている。
【００４１】
そして、その定着ユニット５０の原稿搬送方向下流側には、用紙搬送用の１対の搬送ローラ５５と、排紙トレイ５６とが夫々設けられている。ここで、給紙ローラ１３、レジストローラ１５、供給ローラ４２、現像ローラ４３、転写ローラ４５、押圧ローラ５３、搬送ローラ５５は、具体的に図示していないが、ＬＦ用モータによりギヤ機構を介して夫々回転駆動される。
【００４２】
次に、原稿４を搬送する原稿分離装置６０と、画像読取装置７０とについて説明する。
前記本体ケース２の前側の上部には、電源スイッチ、モード設定スイッチ、テンキー及び各種の機能キーが設けられたキーボード８ａや液晶ディスプレイ８ｂを有する操作パネル８が設けられ、その操作パネル８の下側に、原稿挿入ガイド部６１の載せられた原稿４を分離する原稿分離装置６０と、原稿４に記録されている画像（文字や図面等の情報）が記載された原稿を読み取る画像読取装置７０とが設けられている。
【００４３】
前記原稿挿入ガイド部６１に載せられた原稿４は、上下１対の原稿送りローラ６２、原稿を案内するペーパーガイド６３（シュート部材）及び１対の原稿排出ローラ６４により、画像読取装置７０による原稿読み取り位置へ送られるようになっており、これらによって、搬送経路に沿って原稿を搬送するための搬送手段が構成されている。尚、前記原稿送りローラ６２及び原稿排出ローラ６４は、具体的に図示していないが、制御ユニットによって駆動制御される原稿搬送モータによりギヤ機構を介して回転駆動される。
【００４４】
画像読取装置７０は、搬送経路の途中すなわち原稿送りローラ６２の下流側に配設されており、従来と同様な構造の密着型イメージセンサ（読取手段）７１（図２（ａ）参照）を備えるものである。尚、前記イメージセンサ７１は、原稿４に記載されている画像を読み取り、画像信号を制御ユニットに供給するものである。
【００４５】
このイメージセンサ７１は、操作パネル８の下側に位置し、原稿４全体にわたって画像の読み取りが可能になるように紙面の手前側から奥に向かって原稿幅（例えばＡ４サイズ）の長さを有する。また、イメージセンサ７１の原稿読取面７１ａ（上面）は、その原稿４の幅方向平面かもしくは、ほぼ中央部が左右両端部よりも高くなるように形成されている（例えば０．３ｍｍ程度）。
【００４６】
前記イメージセンサ７１と操作パネル８との間には、イメージセンサ７１の原稿読取面７１ａに向かって原稿４を押圧するための原稿押さえ装置７９が設けられている。この原稿押さえ装置７９の構成及び動作については後に詳述する。
【００４７】
尚、多機能装置１を制御する制御ユニットには、ＣＰＵと、記録制御や原稿読み取り制御等の各種の制御プログラムを含み、多機能装置１を制御する複数の制御プログラムを記憶したＲＯＭと、ＲＡＭとを含むマイクロコンピュータが設けられている。
【００４８】
ｂ）次に、原稿押さえ装置７９について図２〜図３を用いて詳細に説明する。
図２（ａ）及び（ｂ）に示すように、原稿押さえ装置７９は、原稿４を密着型イメージセンサ７１の原稿読取面７１ａに対して押圧する金属製の部材である原稿押さえ部材８０を備えている。具体的には、厚さ０．５ｍｍの鉄板から構成されている。
【００４９】
この原稿押さえ部材８０は、原稿読取面７１ａに対向して配設され、実際に原稿４を原稿読取面７１ａに押圧する平面部８０ａを備えている。この平面部８０ａは図２（ｂ）に示すように、原稿の搬送方向に直行する方向から見て、原稿４に対して２．５°〜５°の角度を成すように設けられており、原稿搬送方向下流において原稿の背面（図２における上面）を押圧している。
【００５０】
また、原稿押さえ部材８０は、平面部８０ａに連続してその原稿挿入側に形成され、原稿４を前記平面部８０ａへと案内するために原稿搬送方向と逆の方向に向かって徐々に搬送経路を拡張する傾斜面部８０ｂを備える。この傾斜面部８０ｂには、図３に示すように、原稿４を検出するためのセンサ（図示略）を取り付けるために切り欠かれた切り欠き部８０ｂ１が形成されている。
【００５１】
また、原稿押さえ部材８０は、当該部材８０における原稿搬送方向の上流側端部において、上方に向けて立設された一対の軸受け部８０ｃを備えている。この軸受け部８０ｃは、原稿搬送方向に直行する方向における両端に設けられており、それぞれ、軸受け孔８０ｄを備えている。この軸受け孔８０ｄは、原稿に対して垂直な方向の内径が、後述する回動軸７８よりも大きく形成されている。本体フレーム２に取り付けられた回動軸７８は、この軸受け孔８０ｄにおいて、原稿押さえ部材８０を回動可能に軸支している。尚、上記回動軸７８は、原稿搬送方向に対し直交するとともに、原稿に対して平行に固定配置されている。
【００５２】
また、原稿押さえ装置７９には、付勢手段として、原稿押さえ部材８０の平面部８０ａをイメージセンサ７１の原稿読取面７１ａの方向に付勢するコイルスプリング８２が配設されている。このコイルスプリング８２は、原稿押さえ部材８０に対し、回動軸７８を中心として回動するように付勢するとともに、原稿押さえ部材８０全体を下方に押し下げ、常には、軸受け孔８０ｄの内周における上端（原稿４とは反対側の端部）に回動軸７８が当接するように付勢する。
【００５３】
尚、コイルスプリング８２が原稿押さえ部材８０を付勢する位置は、原稿搬送方向においては、平面部８０ａの位置であり、原稿の幅方向においては、原稿押さえ部材８０のほぼ中央部分である。また、前記コイルスプリング８２の上端部は、本体フレーム２に固定されている。
【００５４】
さらに、原稿押さえ部材８０は、平面部８０ａより原稿搬送方向下流側に延びる係止部８０ｅ有し、該係止部８０ｅの先端部がフレーム２ｃに形成された被係合孔２ｄに一定の範囲で上下方向に移動可能に係合せしめられ、それらの係合関係で原稿押さえ部材８０の上下方向の可動範囲及び原稿幅方向が規制されるようになっている。
【００５５】
また、原稿押さえ部材８０の平面部８０ａ（下面）のうち少なくとも前記原稿読取面７１ａ（密着型イメージセンサ７１）と対向する部位に、白色のフィルム８１が貼着されている。よって、イメージセンサ７１の原稿読取面７１ａと対向する部位のフィルムの白色を、白レベルチェックの基準とすることにより、原稿４の白レベルがイメージセンサ７１にて計測され、白黒２値化信号への変換が確実にされる。さらに、前記原稿押さえ部材８０の平面部８０ａは、原稿４に対応する幅を有し、その幅方向において読み取り面７０ａの凸形状に対応する凹形状に形成されている。
【００５６】
ｃ）次に、多機能装置１の動作について説明する。
上記のように構成すれば、原稿挿入ガイド部６１に載せられた原稿４は、原稿送りローラ６２側により、画像読取装置７０の原稿読取面７１ａに繰り出される（図１参照）。
【００５７】
このようにして繰り出された原稿４は、図２に示すように、原稿押さえ装置７９により、その読取面（図２における下面）がイメージセンサ７１の原稿読取面７１ａに密接するように押圧される。つまり、上述したように、原稿押さえ装置７９の原稿押さえ部材８０は、コイルスプリング８２にて原稿読取面７１ａ側に付勢されるようになっているので、この原稿押さえ部材８０により原稿４の背面が下方に押圧され、その読取面全体がイメージセンサ７１の原稿読取面７１ａに密接する。
【００５８】
このように押圧された原稿４が、原稿送りローラ６２の回転で画像読取装置７０（密着型イメージセンサ７１の原稿読取面７１ａ）を通過する際に、原稿読取面７１ａを通じて原稿４の画像が密着型イメージセンサ７１に情報として読み取られ、原稿排出ローラ６４の回転で原稿４が画像読取装置７０の外部に排出される。
【００５９】
尚、前記原稿読取面７１ａは原稿の幅方向に沿って中高状の湾曲面になっているが、前記原稿押さえ部材８０の平面部８０ａ（下面）をそれに対応する凹形状としているので、原稿押さえ部材８０の平面部８０ａは前記湾曲面である原稿読取面７１ａに無理なく沿うことができるから、原稿４はその幅方向全体にわたって前記原稿読取面７１ａの全面に確実に密接させられることができる。
【００６０】
ｄ）次に、本実施例における原稿押さえ装置７９および多機能装置１が奏する効果を説明する。尚、図５では原稿押さえ部材８０の平面部８０ａが原稿読取面７１ａに片当たりする状態を容易に理解するため、隙間等を強調して記載してある。
【００６１】
▲１▼本実施例１の原稿押さえ装置７９では、上述したように、回動軸７８を受ける一対の軸受け孔８０ｄは、それぞれ、原稿に対して垂直な方向に長く、原稿押さえ部材８０は、コイルスプリング８２により下方に付勢されている。
【００６２】
そのため、基本的には、図４（ａ）に示す、原稿搬送方向下流から見て左側の軸受け孔８０ｄの内周において、原稿読取面７１ａとは反対側の端部に回動軸７８が常には当接しており、また、図４（ｂ）に示す、原稿搬送方向下流から見て左側の軸受け孔８０ｄの内周においても、原稿読取面７１ａとは反対側の端部に回動軸７８が常には当接している。また、回動軸７８を回動の中心として原稿押さえ部材８０は回動可能である。但し、係止部８０ｅの存在により、回動可能な角度にも限度がある。尚、この時の回動軸７８に対する原稿押さえ部材８０の位置関係を基本位置とする。
【００６３】
原稿押さえ装置７９を実際に多機能装置１に取り付けた場合、仮に、原稿押さえ部材８０が基本位置にあるままだとすると、各部品の精度によっては、図５（ａ）に示すように、原稿押さえ部材８０の平面部８０ａのうち、原稿搬送方向に直行する方向における一方の端部のみが原稿読取面７１ａに片当たりし、反対側の端部は原稿読取面７１ａから乖離していることがある。
【００６４】
しかしながら、原稿押さえ部材８０はコイルスプリング８２により下方に付勢されており、回動軸７８と軸受け孔８０ｄの内周における下端との間には隙間があるので、片当たりしている側の原稿押さえ部材８０は、回動軸７８に対して回動するとともに上方に移動する。その結果として、図５（ｂ）に示すように、原稿押さえ部材８０の平面部８０ａと、原稿読取面７１ａとは、原稿４の幅方向に関して平行となり、平面部８０ａは原稿読取面７１ａに均等に当接するようになる。
【００６５】
尚、このとき、図５（ｃ）に示すように、原稿押さえ部材８０の回動軸７８に対する移動に伴って、片当たりしていた側の軸受け孔８０ｄでは、回動軸７８が、軸受け孔８０ｄの内周における上端よりも下方に位置している。
【００６６】
このように、本実施例１では、原稿４の幅方向に関して、原稿押さえ部材８０が原稿読取面７１ａに対し片当たりすることなく、常に均等に当接するので、原稿４を均等に原稿読取面７１ａに押し当てることができ、原稿４と原稿読取面７１ａとの間に隙間が生じないので、原稿４を鮮明に読み取ることができる。
【００６７】
▲２▼基本位置にある原稿押さえ部材８０において、回動軸７８は、軸受け孔８０ｄの内周における上端部に当接している。そのため、回動軸７８に対して、原稿押さえ部材８０が移動することができる方向は、上方のみである。
【００６８】
従って、基本位置にあるときの原稿押さえ部材８０（図６において点線で記載されているもの）の平面部８０ａが原稿読取面７１ａと成す角度をαとし、基本位置から上方に移動した原稿押さえ部材８０（図６において実線で記載されているもの）の平面部８０ａと原稿読取面７１ａとの成す角度をβとすると、βはαよりも大きくなる。
【００６９】
つまり、本実施例１では、原稿押さえ部材８０が基本位置から移動した場合でも、原稿押さえ部材８０と原稿読取面７１ａとの成す角度が所定の角度の範囲（例えば２．５°〜５°の範囲）よりも小さくなってしまうことがない。
【００７０】
そのため、密着型イメージセンサ７１が原稿４を読み取る位置である読取位置（図６参照）において、原稿押さえ部材８０と原稿読取面７１ａ（または原稿４）との間には、垂直方向に十分な隙間が生じる。この隙間は、原稿押さえ部材８０と原稿読取面７１ａとが当接する部分である原稿押さえ位置（図６参照）と原稿読取位置との間隔が３ｍｍであることから、０．１３〜０．２６ｍｍとなる。
【００７１】
その結果として、例えば、原稿４とともにゴミなどが原稿搬送方向の上流から運ばれてきた場合でも、上記のように、読取位置における原稿押さえ部材８０と原稿読取面７１ａ（または原稿４）との間には十分な隙間があるので、ゴミなどは、原稿押さえ部材８０と原稿読取面７１ａとの間に溜まることなく通過する。そのことにより、ゴミなどの影響を受けず、原稿を鮮明に読み取ることができる。
【００７２】
▲３▼本実施例１において、読取位置における原稿押さえ部材８０の平面部８０ａと原稿読取面７１ａとの垂直方向での隙間は、上記▲２▼で述べたように、０．１３〜０．２６ｍｍとなる。
【００７３】
一方、密着型イメージセンサ７１の焦点深度は約０．５ｍｍである。従って、読取位置における原稿押さえ部材８０の平面部８０ａと原稿読取面７１ａとの垂直方向での距離は、密着型イメージセンサ７１の焦点深度の約半分以下である。
【００７４】
そのため、原稿読取面７１ａと原稿押さえ部材８０との間に位置する原稿４の被読取面と原稿読取面７１ａとの距離は、密着型イメージセンサ７１の焦点深度の半分より大きくなることはなく、密着型イメージセンサ７１は原稿４を鮮明に読み取ることができる。
【００７５】
▲４▼原稿押さえ部材８０は金属から成るので、ある程度の剛性を有している。そのため、上記▲１▼のようにして、原稿の幅方向に関して平面部８０ａと原稿読取面７１ａとを平行にすることができれば、均等な圧力で原稿４を原稿読取面７１ａに押圧することができる。そのことにより、原稿４と原稿読取面７１ａとの間に隙間が生じることが無く、原稿を鮮明に読み取ることができる。
（実施例２）
本実施例２の多機能装置１の構成及び動作は基本的には前記実施例１と同様である。ただし、本実施例２では、原稿押さえ装置７９の構成において一部相違する。以下具体的に説明する。
【００７６】
本実施例２の原稿押さえ装置７９では、回動軸７８を受ける軸受け孔８０ｄは、回動軸７８の直径に対応した真円型であり、原稿押さえ部材８０は、回動軸７８に対して移動する余地はない。
【００７７】
また、本実施例２の原稿押さえ装置７９では、原稿押さえ部材８０の平面部８０ａと傾斜面部８０ｂとの境界付近に、図７に示すように、一対のスリット８３が設けられている。このスリット８３は、原稿搬送方向に直行する方向において、原稿押さえ部材８０の端部から中心に向けてそれぞれ延びており、それら一対のスリット８３の間には、狭隘部８４が形成されている。原稿押さえ部材８０は、この狭隘部８４において、原稿搬送方向を捻れの軸として、容易に捻れるようになっている。
【００７８】
そのことにより、原稿搬送方向から見たとき、図８（ａ）に示すように、原稿押さえ部材８０が全体として原稿読取面７１ａに対して傾いている場合でも、コイルスプリング８２により平面部８０ａが下方に付勢されると、平面部８０ａは、図８（ｂ）に示すように、狭隘部８４において、原稿搬送方向を捻れの軸として捻れ、原稿読取面７１ａに対して平行となり、原稿読取面７１ａに均等に当接することができる。
【００７９】
このように、本実施例２では、原稿４の幅方向に関して、原稿押さえ部材８０が全体として原稿読取面７１ａに平行でない場合でも、平面部８０ａを原稿読取面７１ａに対し常に均等に当接させることができるので、原稿４を均等に原稿読取面７１ａに押し当てることができ、原稿４と原稿読取面７１ａとの間に隙間が生じないので、原稿４を鮮明に読み取ることができる。
（実施例３）
本実施例３の多機能装置１の構成及び動作は基本的には前記実施例２と同様である。ただし、本実施例３では、原稿押さえ装置７９の構成において一部相違する。以下具体的に説明する。
【００８０】
本実施例３の原稿押さえ装置７９では、図９に示すように、原稿搬送方向に沿って、原稿押さえ部材８０の傾斜面部８０ｂの端部から、平面部８０ａにかけて２本のスリット８３が平行に設けられている。
【００８１】
このスリット８３により、原稿押さえ部材８０は剛性が低下し、原稿搬送方向を捻れ軸として、容易に捻れるようになっている。
そのことにより、原稿搬送方向から見たとき、原稿押さえ部材８０が全体として原稿読取面７１ａに対して傾いている場合でも、コイルスプリング８２により原稿読取面７１ａに押し当てられた平面部８０ａは、容易に捻れ、原稿読取面７１ａに対して平行となる。
【００８２】
このように、本実施例３では、原稿押さえ部材８０が全体として原稿読取面７１ａに平行でない場合でも、平面部８０ａを原稿読取面７１ａに対し常に均等に当接させることができるので、原稿４を均一に原稿読取面７１ａに押し当てることができ、原稿を高精度に読み取ることができる。
（実施例４）
本実施例４の多機能装置１の構成及び動作は基本的には前記実施例２と同様である。ただし、本実施例４では、原稿押さえ装置７９の構成において一部相違する。以下具体的に説明する。
【００８３】
本実施例４の原稿押さえ装置７９では、前記実施例１と同様に、回動軸７８を受ける一対の軸受け孔８０ｄは、それぞれ、原稿の背面に対して垂直な方向に長く、回動軸７８は、常には軸受け孔８０ｄの上端に当接している。
【００８４】
そのため、原稿押さえ部材８０と原稿読取面７１ａとの間に片当たりが生じている場合は、前記実施例１と同様に、原稿押さえ部材８０のうち、片当たりが生じている側が上方に移動し、片当たりを解消することができる。
【００８５】
また、本実施例４の原稿押さえ装置７９では、前記実施例２と同様に、原稿押さえ部材８０の捻れにより、原稿押さえ部材８０と原稿読取面７１ａとを均等に当接させることができる。
【００８６】
このように、本実施例４では、前記実施例１と実施例２の構成を併せ持つことにより、原稿押さえ部材８０を原稿読取面７１ａに対し一層均等に当接させることができる。そのため、原稿４を均一に原稿読取面７１ａに押し当てることができ、原稿を高精度に読み取ることができる。
【００８７】
尚、本発明は前記実施例になんら限定されるものではなく、本発明を逸脱しない範囲において種々の態様で実施しうることはいうまでもない。
例えば、前記実施例１〜４では、本発明に係る原稿押さえ装置及び画像形成装置を多機能装置に適用したものであるが、本発明はそれに限定されるものではなく、プリンタ、複写機、などにも用いることができる。
【００８８】
また、前記実施例１〜４では、読取手段として密着型イメージセンサを用いているが、本発明は他のイメージセンサ（例えばＣＣＤセンサ）に対しても適用することができる。
【００８９】
また、前記実施例１〜４におけるコイルスプリング８２は、１つのみ設けられているが、原稿の幅方向に沿って、２又は３以上並べて配置しても良い。
また、原稿押さえ部材８０は金属製でなく、ある程度の剛性を備える樹脂製でもよい。但し、０．５ｍｍ程度の厚さで鉄板と同様の剛性を持ち、更には反りを抑制した樹脂の板は金属製の板よりもコストが高くなる。
【図面の簡単な説明】
【図１】本実施例の多機能装置の横断面図である。
【図２】本実施例の多機能装置における原稿抑え装置周辺の構成を示す説明図である。
【図３】本実施例における原稿押さえ部材の構成を示す説明図である。
【図４】本実施例の原稿押さえ装置の構成を示す説明図である。
【図５】本実施例の原稿押さえ装置の動作を示す説明図である。
【図６】本実施例の原稿押さえ装置の動作を示す説明図である。
【図７】本実施例における原稿押さえ部材の構成を示す説明図である。
【図８】本実施例の原稿押さえ装置の動作を示す説明図である。
【図９】本実施例における原稿押さえ部材の構成を示す説明図である。
【符号の説明】
１・・・多機能装置
４・・・原稿
７０・・・画像読取装置
７１・・・密着型イメージセンサ
７１ａ・・・原稿読取面
７８・・・回動軸
７９・・・原稿押さえ装置
８０・・・原稿押さえ部材
８０ａ・・・平面部
８０ｃ・・・軸受け部
８０ｄ・・・軸受け孔
８２・・・コイルスプリング
８３・・・スリット
【図１】
2005026844.tif 000003
【図２】
2005026844.tif 000004
【図３】
2005026844.tif 000005
【図４】
2005026844.tif 000006
【図５】
2005026844.tif 000007
【図６】
2005026844.tif 000008
【図７】
2005026844.tif 000009
【図８】
2005026844.tif 000010
【図９】
2005026844.tif 000011